(57)【特許請求の範囲】
【請求項１】
反負荷側ブラケットと、
前記反負荷側ブラケットから突出する回転軸に嵌合固着された検出器回転部と、
前記反負荷側ブラケットに固定した熱絶縁板と、
前記回転軸に軸受を介して支持されるとともに、前記熱絶縁板に、取付板を介して、回転方向に変位しないように取り付けられた検出器固定部と、
前記熱絶縁板に固定した検出器カバーと、
前記検出器カバー１５の内部に形成された検出器側の空間と、
前記反負荷側ブラケット４と前記熱絶縁板と前記検出器固定部１０との間に形成され、かつ前記検出器側の空間と連通して密閉された空間を形成する反負荷側ブラケット側の空間と、
前記回転軸に嵌合固着し、前記反負荷側ブラケット側の空間に配設したファンとを有することを特徴とする回転検出器を備えた電動機。
【請求項２】
前記検出器固定部に、前記検出器カバー内の空間から前記反負荷側ブラケットと前記検出器固定部との間の空間に連通する通気孔を設けたことを特徴とする請求項１記載の回転検出器を備えた電動機。
【請求項３】
前記回転軸の反負荷側端部に、前記検出器カバー内の空間と連通する軸孔を形成し、かつ、この軸孔と、前記反負荷側ブラケットと前記検出器固定部との間の空間とを連通する通気孔を設けたことを特徴とする請求項１記載の回転検出器を備えた電動機。
【発明の詳細な説明】
【０００１】
【産業上の利用分野】
本発明は、回転検出器を回転軸に結合した電動機に関し、とくに回転検出器の温度上昇を低減するものに関するものである。
【０００２】
【従来の技術】
従来、電動機の回転軸に回転速度や回転角を検出する回転検出器を結合する場合、電動機の熱損失によって発生する熱が電動機の回転軸から回転検出器の回転部に伝達し、検出器の一部を構成する電子部品の破損や寿命低下を防ぐために、電動機の反負荷側ブラケットと検出器カバーとの間に熱絶縁板を介挿するとともに、回転軸の反負荷側軸端と検出器軸の軸端にカップリングを介して回転検出器の回転部を結合するようにしている。また、カップリングを設けない場合は、電動機の固定子と回転子の大きさを大きくして熱の発生を少なくしている。
【０００３】
【発明が解決しようとする課題】
ところが、従来技術では、回転子と固定子で発生した熱を検出器に伝えないよう回転軸と検出軸の間にカップリングを入れたり、熱の発生を少なくするため固定子と回転子を大きくする必要があり、電動機の小形・軽量化ができない問題があった。
そこで本発明では、検出器部の温度上昇が小さい、小形・軽量の電動機を提供することを目的とするものである。
【０００４】
【課題を解決するための手段】
上記問題を解決するため、本発明の回転検出器を備えた電動機は、次のようにしたものである。
すなわち、反負荷側ブラケットと、
前記反負荷側ブラケットから突出する回転軸に嵌合固着された検出器回転部と、
前記反負荷側ブラケットに固定した熱絶縁板と、
前記回転軸に軸受を介して支持されるとともに、前記熱絶縁板に、取付板を介して、回転方向に変位しないように取り付けられた検出器固定部と、
前記熱絶縁板に固定した検出器カバーと、
前記検出器カバー１５の内部に形成された検出器側の空間と、
前記反負荷側ブラケット４と前記熱絶縁板と前記検出器固定部１０との間に形成され、かつ前記検出器側の空間と連通して密閉された空間を形成する反負荷側ブラケット側の空間と、
前記回転軸に嵌合固着し、前記反負荷側ブラケット側の空間に配設したファンとを配設したものである。
また、前記検出器固定部に、前記検出器カバー内の空間から前記反負荷側ブラケットと前記検出器固定部との間の空間に連通する通気孔を設けたものである。
また、前記回転軸の反負荷側端部に、前記検出器カバー内の空間と連通する軸孔を形成し、かつ、この軸孔と、前記反負荷側ブラケットと前記検出器固定部との間の空間とを連通する通気孔を設けたものである。
【０００５】
【作用】
上記手段により、電動機が駆動すると、回転子から回転軸に伝達された熱は検出器の固定部や回転部に伝達される。しかし、回転軸に取付けたファンの回転により、検出器カバー内の空間と、前記反負荷側ブラケットと前記検出器固定部との間の空間の空気は攪拌されて、検出器固定部や回転部の周囲の空気のみが局部的に高温になることはなく、検出器固定部や回転部からの放熱は良好に行われる。したがって、検出器の温度上昇は低く抑えられることになる。
また、検出器固定部に、検出器カバー内の空間から反負荷側ブラケットと検出器固定部との間の空間に連通する通気孔を設けたり、前記回転軸の反負荷側端部に、前記検出器カバー内の空間と連通する軸孔を形成し、かつ、この軸孔と反負荷側ブラケットと検出器固定部との間の空間とを連通する通気孔を設けたりすることによって、検出器カバー内の空間の空気の攪拌効果は高くなり、さらに検出器の温度上昇は低く抑えられることになる。
【０００６】
【実施例】
以下、本発明の第１の実施例を図に基づいて説明する。
図１は本発明の第１の実施例を示す検出器を備えた電動機の全体を示す側断面図で、図２は要部を示す側断面図である。
図において、Ａは電動機部、Ｂは検出器部である。１は電動機のフレームで、内周面に固定子２を嵌合固定している。３はこのフレーム１の負荷側端部に取付けた負荷側ブラケットで、４は前記フレーム１の反負荷側端部に取付けた反負荷側ブラケットである。５は前記両ブラケット３、４に軸受６、７を介して回転自在に支承された回転軸で、中央部に前記固定子２に径方向の細隙を介して対向するように回転子８を嵌合固定している。９はこの回転軸５の反負荷側端部に嵌合固定した検出器回転部で、スリット円板からなっている。１０は検出器固定部で、前記回転軸５に軸受１１を介して支持され、空隙を介して検出器回転部を挟むように発光素子と受光素子を固定している。１２は電子部品で、前記検出器固定部１０に取付けられている。１３は熱絶縁板で、反負荷側ブラケット４に固定するとともに、板ばねなどの取付板１４を介して前記検出器固定部１０を回転方向に変位しないように取付けている。１５は検出器カバーで、前記熱絶縁板１３に取付けられている。１６はこの検出器カバー１５の内部に形成された検出器側の空間で、１７は前記反負荷側ブラケット４と検出器固定部１０との間に形成された反負荷側ブラケット側の空間である。両空間１６，１７は連通し、反負荷側ブラケット４と、前記熱絶縁板１３と、前記検出器カバー１５とによって形成された密閉状態の空間を形成している。１８は前記取付板１４に形成された複数個の通気孔、１９は前記反負荷側ブラケット側の空間１７に配設したファンで、前記回転軸５に嵌合固定している。
このような構成において、電動機の回転軸５を回転すると、回転子８から回転軸５に伝達された熱は、検出器の方に伝わっていき、検出器固定部１０と検出器回転部９は温度が上り、その周囲の空気も当然温度が高くなる。しかし、反負荷側ブラケット４と検出器固定部１０の間の反負荷側ブラケット側の空間１７に配設したファン１９の回転によって前記空間１６と空間１７の空気は矢印で示すように循環するので、検出器固定部１０や検出器回転部９の周囲の空気のみが局部的に高温になることはなく、前記空間１６と空間１７の空気全体が均一な温度になり、検出器固定部１０や検出器回転部９からの放熱は良好に行われる。したがって、検出器の温度上昇は低く抑えられることになる。
図３は、本発明の第２の実施例の要部を示す側断面図である。
本実施例では、前記検出器固定部１０に、前記検出器側の空間１６から前記反負荷側ブラケット側の空間１７に連通する通気孔２０を設けるようにしている。
このようにすることにより、前記空間１６と空間１７の空気はスムーズに攪拌されることになり、さらに検出器の温度上昇が低く抑えられる。
図４は、本発明の第３の実施例の要部を示す側断面図である。
本実施例では、前記回転軸５の反負荷側端部に、前記空間１６と連通する軸孔２１を形成し、かつ、この軸孔２１と前記空間１７とを連通する通気孔２２を設けるようにしている。
このようにすることにより、前記第２の実施例と同様に、前記空間１６と空間１７の空気はスムーズに攪拌されることになり、さらに検出器の温度上昇が低く抑えられる。
なお、いずれの実施例においても、検出器カバー１５の内外において、熱の伝達を良好にするために、検出器カバー１５の内面または外面、あるいは両面に放熱フィンを設けて、検出器カバー１５の表面積を大きくするようにしてもよい。
【０００８】
【発明の効果】
以上述べたように、本発明によれば、反負荷側ブラケット側の空間１７に配設したファン１９の回転により、連通して、かつ密閉状態にある検出器側の空間１６と反負荷側ブラケット側の空間１７の両空間の空気を攪拌して温度を均一化することができ、したがって、検出器固定部１０や回転部９からの放熱を良好に行わせることができ、電子部品１２の破損を防止し寿命を伸ばすことができる。
また、これにより、回転軸５と検出器軸との間にカップリングを設けたり、電動機の固定子２と回転子８を大きくする必要がなくなり、電動機を小形・軽量化することができる。
【図面の簡単な説明】
【図１】本発明の第１の実施例を示す回転検出器を備えた電動機の側断面図である。
【図２】図１における要部を示す側断面図である。
【図３】本発明の第２の実施例を示す要部側断面図である。
【図４】本発明の第３の実施例を示す要部側断面図である。
【符号の説明】
１    フレーム、
２    固定子、
３    負荷側ブラケット、
４    反負荷側ブラケット、
５    回転軸、
６    軸受、
７    軸受、
８    回転子、
９    検出器回転部、
１０  検出器固定部、
１１  軸受、
１２  電子部品、
１３  熱絶縁板、
１４  取付板、
１５  検出器カバー、
１６  検出器側の空間、
１７  反負荷側ブラケット側の空間、
１８  通気孔、
１９  ファン、
２０  通気孔、
２１  軸孔、
２２  通気孔
【図１】
0003591601.tif 000002
【図２】
0003591601.tif 000003
【図３】
0003591601.tif 000004
【図４】
0003591601.tif 000005